(57)【要約】      （修正有）【課題】レンズアレイを構成するレンズどうしの特性ばらつきに起因する画像の歪みを補正する光書き込み装置及び画像形成装置を提供する。【解決手段】画像形成装置の感光体ドラムの回転駆動を停止した状態で、マルチレンズアレイ２０１を構成するレンズ４００毎に、光軸上のＯＬＥＤと、光軸を中心とする円周上の４つのＯＬＥＤとを点灯して５つの代表点を露光して静電潜像を形成する。その後、感光体ドラムを回転駆動しながら、静電潜像を現像し、ラインセンサーにてトナー像を検出する。ＯＬＥＤ毎の露光位置のずれ量のオフセット成分と倍率成分を算出し、これらの成分を用いて他のＯＬＥＤの位置ずれ量を推算した後、位置ずれ量に応じて各ＯＬＥＤの露光位置を補正する。【選択図】図６
2019072888.tif 000002
【特許請求の範囲】
【請求項１】
複数の非単結晶発光手段と、前記複数の非単結晶発光手段の出射光を結像させるレンズとの組を複数有し、前記複数のレンズがレンズアレイを構成している光書き込み装置であって、
前記複数の組のうち少なくとも一組について、前記複数の非単結晶発光手段のうち一部の非単結晶発光手段から出射する光が作像表面上に露光する露光位置を検出する検出手段と、
前記検出手段が検出した露光位置の、目標とする露光位置である基準位置からの位置ずれ量を算出する算出手段と、
前記検出手段で露光位置を検出した組ごとに、前記算出手段が算出した位置ずれ量を用いて、前記一部の非単結晶発光手段以外の非単結晶発光手段の露光位置の基準位置からの位置ずれ量を推定する推定手段と、
前記算出手段が算出した位置ずれ量及び前記推定手段が推定した位置ずれ量を用いて、前記複数の組すべてについて露光位置を補正する補正手段と、を備える
ことを特徴とする光書き込み装置。
【請求項２】
前記レンズアレイは、複数のレンズ群が配列されて構成され、
前記各レンズ群は、共通の金型を用いて成型されており、
前記検出手段は、前記複数のレンズ群のうち１つのレンズ群のみにおける少なくとも一組について前記露光位置を検出し、
前記補正手段は、前記共通の金型で正形成されたレンズ群同士で対応するレンズについては、前記１つのレンズ群について前記算出手段が算出した位置ずれ量及び前記推定手段が推定した位置ずれ量を用いて露光位置を補正する
ことを特徴とする請求項１に記載の光書き込み装置。
【請求項３】
前記複数の非単結晶発光手段とレンズとの組のうち少なくとも一組は、前記レンズアレイ成型時の温度分布、圧力分布及び成型後の応力分布のうち１以上に応じて、前記複数の組から選択され、
前記補正手段は、前記少なくとも一組以外の組については、前記算出手段が算出した位置ずれ量及び前記推定手段が推定した位置ずれ量から、前記レンズアレイ成型時の温度分布、圧力分布及び成型後の応力分布のうち１以上に応じて、露光位置を補正する
ことを特徴とする請求項１に記載の光書き込み装置。
【請求項４】
前記検出手段は、当該光書き込み装置を画像形成装置に組み込んだ状態における作像表面上での露光位置を検出し、
前記補正手段は、
前記レンズアレイを成型するための金型によって成型される２以上のレンズについて、当該光書き込み装置を画像形成装置に組み込んでいない状態において、レンズ毎に予想される位置ずれ量を記憶する予備記憶手段を有し、
前記算出手段が算出した位置ずれ量に応じて、前記予備記憶手段が記憶している位置ずれ量を変更した位置ずれ量を用いて、前記２以上のレンズのうち前記少なくとも一組以外のレンズに係る露光位置を補正する
ことを特徴とする請求項１に記載の光書き込み装置。
【請求項５】
前記算出手段は、前記複数の非単結晶発光手段のうち前記基準位置が当該レンズの光軸に最も近い非単結晶発光手段について、前記検出手段が検出した露光位置の基準位置からの位置ずれ量をオフセット成分として算出し、
前記補正手段は、前記オフセット成分に応じて露光位置を補正する
ことを特徴とする請求項１から４の何れかに記載の光書き込み装置。
【請求項６】
前記複数の非単結晶発光手段は、主走査方向において互いに異なる位置になるように千鳥配設されており、
前記算出手段は、前記複数の非単結晶発光手段のうち、前記基準位置が当該レンズの光軸に最も近い非単結晶発光手段以外の１つの非単結晶発光手段について、前記検出手段が検出した露光位置の基準位置からの位置ずれ量から、前記オフセット成分のうち主走査方向成分を除いた位置ずれ量を、主走査方向における倍率成分として算出し、
前記補正手段は、前記主走査方向における倍率成分に応じて露光位置を補正する
ことを特徴とする請求項５に記載の光書き込み装置。
【請求項７】
前記複数の非単結晶発光手段は、主走査方向において互いに異なる位置になるように千鳥配設されており、
前記算出手段は、前記複数の非単結晶発光手段のうち、主走査方向において、前記基準位置が当該レンズの光軸に最も近い非単結晶発光手段の両側に位置する２つの非単結晶発光手段について、前記検出手段が検出した露光位置の基準位置からの位置ずれ量から、前記オフセット成分のうち主走査方向成分を除いた位置ずれ量を、主走査方向における倍率成分として算出し、
前記補正手段は、前記主走査方向における倍率成分に応じて露光位置を補正する
ことを特徴とする請求項５に記載の光書き込み装置。
【請求項８】
前記複数の非単結晶発光手段は、主走査方向において互いに異なる位置になるように千鳥配設されており、
前記算出手段は、前記複数の非単結晶発光手段のうち、主走査方向に直交する副走査方向において、前記基準位置が当該レンズの光軸に最も近い非単結晶発光手段と異なる１つの非単結晶発光手段について、前記検出手段が検出した露光位置の基準位置からの位置ずれ量から、前記オフセット成分のうち副走査方向成分を除いた位置ずれ量を、副走査方向における倍率成分として算出し、
前記補正手段は、前記副走査方向における倍率成分に応じて露光位置を補正する
ことを特徴とする請求項５に記載の光書き込み装置。
【請求項９】
前記複数の非単結晶発光手段は、主走査方向において互いに異なる位置になるように千鳥配設されており、
前記算出手段は、前記複数の非単結晶発光手段のうち、主走査方向に直交する副走査方向において、前記基準位置が当該レンズの光軸に最も近い非単結晶発光手段の両側に位置する２つの非単結晶発光手段について、前記検出手段が検出した露光位置の基準位置からの位置ずれ量から、前記オフセット成分のうち風走査方向成分を除いた位置ずれ量を、副走査方向における倍率成分として算出し、
前記補正手段は、前記副走査方向における倍率成分に応じて露光位置を補正する
ことを特徴とする請求項５に記載の光書き込み装置。
【請求項１０】
前記非単結晶発光手段はＯＬＥＤである
ことを特徴とする請求項１から９の何れかに記載の光書き込み装置。
【請求項１１】
前記複数の非単結晶発光手段は、主走査方向において互いに異なる位置になるように千鳥配設されており、
前記少なくとも一組は、主走査方向における端部に位置する組である
ことを特徴とする請求項１から１０の何れかに記載の光書き込み装置。
【請求項１２】
非単結晶発光手段ごとの出射光の露光位置の基準位置からの位置ずれ量の平均値と、非単結晶発光手段ごとの位置ずれ量と前記平均値との差と、を記憶する圧縮記憶手段を備え、
前記補正手段は、圧縮記憶手段が記憶する平均値と差とから算出される位置ずれ量を用いて、露光位置を補正する
ことを特徴とする請求項１から１１の何れかに記載の光書き込み装置。
【請求項１３】
請求項１から１２の何れかに記載の光書き込み装置を備える
ことを特徴とする画像形成装置。
【発明の詳細な説明】
【技術分野】
【０００１】
本発明は、光書き込み装置及び画像形成装置に関し、特にライン光学型の光書き込み装置における露光位置のずれを検出する技術に関する。
【背景技術】
【０００２】
従来、電子写真方式の画像形成装置においては、走査光学系を用いてレーザーダイオードの出射光を偏向することによって感光体ドラムに光書き込みを行う光走査型の光書き込み装置が用いられてきたが、走査光学系は構造上、小型化が難しく、また、出射光のビーム径を絞ることが技術的に難しい。このため、光走査型の光書き込み装置を搭載した画像形成装置を小型化、低コスト化し、更に高解像度化するのには限界がある。
【０００３】
一方、微小ドットの発光素子をライン状に配置した光源をレンズアレイと組み合わせたライン光学型の光書き込み装置では、例えば、主走査方向に約３０，０００個の発光素子を配列した光源を、主走査方向に数百個のレンズを配列したレンズアレイと組み合わせて、光源を数百に分割した領域ごとに１つのレンズが結像を行う。
【０００４】
ライン光学型の光書き込み装置を用いれば、光源とレンズアレイとの何れも小型化、低コスト化することが容易であり、また、微小ドットの発光素子を用いて光源の分割領域ごとに１つのレンズで結像するので高解像度化することができる。従って、ライン光学型の光書き込み装置を搭載すれば、画像形成装置の小型化、低コスト化及び高解像度化を図ることができる。
【先行技術文献】
【特許文献】
【０００５】
【特許文献１】特開２００８−２２４９５７号公報
【発明の概要】
【発明が解決しようとする課題】
【０００６】
しかしながら、ライン光学型の光書き込み装置では、レンズアレイとしてマルチレンズアレイ（MLA: Multi-Lens Array）を用いる場合、マルチレンズの成型に供する金型における個々のレンズの位置や金型そのものの特性に依存してレンズの形状に誤差が生じる場合がある。
【０００７】
例えば、図１４（ａ）に示すように、光源１４０１を構成する発光素子１４０２の出射光Ｌがレンズ１４０３を経由して感光体１４０４上に露光する場合に、出射光Ｌの主光線方向に対してレンズ１４０３の光軸１４０３ａが傾いていると、光軸１４０３ａが傾いていないときの光路Ｌ´とは感光体１４０４上で光路オフセットｚだけ異なる位置に出射光Ｌが照射する。
【０００８】
詳述すると、図１４（ｂ）に示すように、発光素子１４０２の出射光Ｌは、レンズ１４０３の光軸１４０３ａの傾斜角に等しい入射角ｉでレンズ１４０３に入射し、屈折角ｊでレンズ１４０３内へ出射する。その後、出射角ｉでレンズ１４０３外へ出射する。このように出射光Ｌが屈折する場合、光軸１４０３ａが傾斜しておらず入射角ｉが０度である場合の光路Ｌ´から光路オフセットｚ分だけずれた位置で感光体１４０４に入射する。
【０００９】
光軸１４０３ａの傾斜角が大きいほど、入射角ｉ並びに屈折角ｊが大きくなるので、光路オフセットｚが大きくなる。このため、レンズ１４０３毎に光軸１４０３ａの傾斜角が異なっていると、光路オフセットｚの大きさにばらつきが生じる。
【００１０】
また、光軸の傾斜方向が異なると、露光位置のずれ方向が異なる。図１５は、レンズの光軸が傾斜していない場合における、軸付近に位置する発光素子による露光位置１５０１と、光軸から等距離となる同心円上に位置する４つの発光素子による露光位置１５０２、１５０３、１５０４及び１５０５とが光軸の傾斜方向によってどのようにずれるかを例示する図である。
【００１１】
例えば、レンズ＃１は、図中左上方向へ光軸が傾斜しているので、露光位置が右下へずれて、位置１５１１、１５１２、１５１３、１５１４及び１５１５となっている。また、レンズ＃２は、図中左下方向へ光軸が傾斜しているので、露光位置が右上へずれて、位置１５２１、１５２２、１５２３、１５２４及び１５２５となっている。
【００１２】
更に、光軸の傾斜角や傾斜方向が同じであっても、金型内でレンズ精度がばらつくことによってレンズ毎に倍率が異なると、光路オフセットｚの大きさにばらつきが生じて、印字画像に歪みが発生する、という問題がある。
【００１３】
本発明は、上述のような問題に鑑みて為されたものであって、レンズアレイを構成するレンズどうしの特性ばらつきに起因する画像の歪みを補正する光書き込み装置及び画像形成装置を提供することを目的とする。
【課題を解決するための手段】
【００１４】
上記目的を達成するため、本発明に係る光書き込み装置は、複数の非単結晶発光手段と、前記複数の非単結晶発光手段の出射光を結像させるレンズとの組を複数有し、前記複数のレンズがレンズアレイを構成している光書き込み装置であって、前記複数の組のうち少なくとも一組について、前記複数の非単結晶発光手段のうち一部の非単結晶発光手段から出射する光が作像表面上に露光する露光位置を検出する検出手段と、前記検出手段が検出した露光位置の、目標とする露光位置である基準位置からの位置ずれ量を算出する算出手段と、前記検出手段で露光位置を検出した組ごとに、前記算出手段が算出した位置ずれ量を用いて、前記一部の非単結晶発光手段以外の非単結晶発光手段の露光位置の基準位置からの位置ずれ量を推定する推定手段と、前記算出手段が算出した位置ずれ量及び前記推定手段が推定した位置ずれ量を用いて、前記複数の組すべてについて露光位置を補正する補正手段と、を備えることを特徴とする。
【発明の効果】
【００１５】
このようにすれば、非単結晶発光手段の出射光の露光位置を検出して、レンズどうしの特性ばらつきに起因する露光位置の位置ずれ量を算出し、当該位置ずれ量を用いて露光位置を補正するので、画像の歪みを補正することができる。
【００１６】
この場合において、前記レンズアレイは、複数のレンズ群が配列されて構成され、前記各レンズ群は、共通の金型を用いて成型されており、前記検出手段は、前記複数のレンズ群のうち１つのレンズ群のみにおける少なくとも一組について前記露光位置を検出し、前記補正手段は、前記共通の金型で正形成されたレンズ群同士で対応するレンズについては、前記１つのレンズ群について前記算出手段が算出した位置ずれ量及び前記推定手段が推定した位置ずれ量を用いて露光位置を補正してもよい。
【００１７】
また、前記複数の非単結晶発光手段とレンズとの組のうち少なくとも一組は、前記レンズアレイ成型時の温度分布、圧力分布及び成型後の応力分布のうち１以上に応じて、前記複数の組から選択され、前記補正手段は、前記少なくとも一組以外の組については、前記算出手段が算出した位置ずれ量及び前記推定手段が推定した位置ずれ量から、前記レンズアレイ成型時の温度分布、圧力分布及び成型後の応力分布のうち１以上に応じて、露光位置を補正してもよい。
【００１８】
また、前記検出手段は、当該光書き込み装置を画像形成装置に組み込んだ状態における作像表面上での露光位置を検出し、前記補正手段は、前記レンズアレイを成型するための金型によって成型される２以上のレンズについて、当該光書き込み装置を画像形成装置に組み込んでいない状態において、レンズ毎に予想される位置ずれ量を記憶する予備記憶手段を有し、前記算出手段が算出した位置ずれ量に応じて、前記予備記憶手段が記憶している位置ずれ量を変更した位置ずれ量を用いて、前記２以上のレンズのうち前記少なくとも一組以外のレンズに係る露光位置を補正してもよい。
【００１９】
また、前記算出手段は、前記複数の非単結晶発光手段のうち前記基準位置が当該レンズの光軸に最も近い非単結晶発光手段について、前記検出手段が検出した露光位置の基準位置からの位置ずれ量をオフセット成分として算出し、前記補正手段は、前記オフセット成分に応じて露光位置を補正してもよい。
【００２０】
ここで、前記複数の非単結晶発光手段は、主走査方向において互いに異なる位置になるように千鳥配設されており、前記算出手段は、前記複数の非単結晶発光手段のうち、前記基準位置が当該レンズの光軸に最も近い非単結晶発光手段以外の１つの非単結晶発光手段について、前記検出手段が検出した露光位置の基準位置からの位置ずれ量から、前記オフセット成分のうち主走査方向成分を除いた位置ずれ量を、主走査方向における倍率成分として算出し、前記補正手段は、前記主走査方向における倍率成分に応じて露光位置を補正すればなお好適である。
【００２１】
また、前記複数の非単結晶発光手段は、主走査方向において互いに異なる位置になるように千鳥配設されており、前記算出手段は、前記複数の非単結晶発光手段のうち、主走査方向において、前記基準位置が当該レンズの光軸に最も近い非単結晶発光手段の両側に位置する２つの非単結晶発光手段について、前記検出手段が検出した露光位置の基準位置からの位置ずれ量から、前記オフセット成分のうち主走査方向成分を除いた位置ずれ量を、主走査方向における倍率成分として算出し、前記補正手段は、前記主走査方向における倍率成分に応じて露光位置を補正してもよい。
【００２２】
また、前記複数の非単結晶発光手段は、主走査方向において互いに異なる位置になるように千鳥配設されており、前記算出手段は、前記複数の非単結晶発光手段のうち、主走査方向に直交する副走査方向において、前記基準位置が当該レンズの光軸に最も近い非単結晶発光手段と異なる１つの非単結晶発光手段について、前記検出手段が検出した露光位置の基準位置からの位置ずれ量から、前記オフセット成分のうち副走査方向成分を除いた位置ずれ量を、副走査方向における倍率成分として算出し、前記補正手段は、前記副走査方向における倍率成分に応じて露光位置を補正してもよい。
【００２３】
また、前記複数の非単結晶発光手段は、主走査方向において互いに異なる位置になるように千鳥配設されており、前記算出手段は、前記複数の非単結晶発光手段のうち、主走査方向に直交する副走査方向において、前記基準位置が当該レンズの光軸に最も近い非単結晶発光手段の両側に位置する２つの非単結晶発光手段について、前記検出手段が検出した露光位置の基準位置からの位置ずれ量から、前記オフセット成分のうち風走査方向成分を除いた位置ずれ量を、副走査方向における倍率成分として算出し、前記補正手段は、前記副走査方向における倍率成分に応じて露光位置を補正してもよい。
【００２４】
また、前記非単結晶発光手段はＯＬＥＤであるのが望ましい。
【００２５】
また、前記複数の非単結晶発光手段は、主走査方向において互いに異なる位置になるように千鳥配設されており、前記少なくとも一組は、主走査方向における端部に位置する組であってもよい。
【００２６】
また、非単結晶発光手段ごとの出射光の露光位置の基準位置からの位置ずれ量の平均値と、非単結晶発光手段ごとの位置ずれ量と前記平均値との差と、を記憶する圧縮記憶手段を備え、前記補正手段は、圧縮記憶手段が記憶する平均値と差とから算出される位置ずれ量を用いて、露光位置を補正してもよい。
【００２７】
また、本発明に係る画像形成装置は、本発明に係る光書き込み装置を備えることを特徴とする。
【図面の簡単な説明】
【００２８】
【図１】第１の実施の形態に係る画像形成装置の主要な構成を示す図である。
【図２】（ａ）は光書き込み装置１００の主要な構成を示す図であり、（ｂ）はＯＬＥＤパネル部２００の概略平面図、Ａ−Ａ´線における断面図及びＣ−Ｃ´線における断面図であって、概略平面図は封止板２１１を取り外した状態を示している。
【図３】（ａ）はＴＦＴカイロ２１４の構成を示すブロック図であり、（ｂ）は選択回路３０１と発光ブロック３０２の構成を示す回路図である。
【図４】ＡＳＩＣ２２０の主要な構成を示すブロック図である。
【図５】制御部１５０の主要な構成を示すブロック図である。
【図６】（ａ）はマルチレンズの配列を示す平面図であり、（ｂ）は１つのレンズに対応する画素の配列を示す平面図であり、（ｃ）は露光位置を例示する平面図である。
【図７】画像形成装置１の動作を示すフローチャートである。
【図８】露光位置ずれ量の倍率成分のうち、（ａ）は副走査方向の倍率成分を示すグラフであり、（ｂ）は主走査方向の倍率成分を示すグラフである。
【図９】（ａ）は１列目から３列目までの画素の露光位置のずれ量を示す表であり、（ｂ）は４列目から５列目までの画素の露光位置のずれ量を示す表である。
【図１０】（ａ）は６列目から８列目までの画素の露光位置のずれ量を示す表であり、（ｂ）は９列目から１０列目までの画素の露光位置のずれ量を示す表である。
【図１１】第２の実施の形態に関して、（ａ）は成型時の温度分布、圧力分布又は成型後の残留応力分布を例示するグラフであり、（ｂ）は露光位置のずれ量を検出すべきレンズ４００を例示する平面図である。
【図１２】変形例に係る画像形成装置１の主要な構成を示す図である。
【図１３】位置ずれがない場合の露光位置と、位置ずれがある場合の露光位置との位置関係を例示する図である。
【図１４】（ａ）は一般的な光書き込み装置の構成を説明する図であり、（ｂ）はレンズ１４０３の光軸１４０３ａの傾斜による露光位置のずれを説明する図である。
【図１５】レンズの光軸の傾斜方向と露光位置のずれ方向との関係を例示する図である。
【発明を実施するための形態】
【００２９】
以下、本発明に係る光書き込み装置及び画像形成装置の実施の形態について、図面を参照しながら説明する。
［１］第１の実施の形態
本発明の第１の実施の形態に係る画像形成装置はマスター金型を繰り返し使用して成型されたマルチレンズアレイを用いた光書き込み装置における画像歪みを補正するために、１つのマスター金型に相当する部分についてのみ画像歪みを検出し、その検出結果をマルチレンズアレイ全体に転用して効率よく画像歪みを補正することを特徴とする。
（１−１）画像形成装置の構成
まず、本実施の形態に係る画像形成装置の構成について説明する。
【００３０】
図１に示すように、画像形成装置１は、所謂タンデム方式のカラープリンターであって、イエロー（Ｙ）、マゼンタ（Ｍ）、シアン（Ｃ）及びブラック（Ｋ）各色のトナー像を形成する画像形成ステーション１１０Ｙ、１１０Ｍ、１１０Ｃ及び１１０Ｋを備えている。画像形成ステーション１１０Ｙ、１１０Ｍ、１１０Ｃ及び１１０Ｋは、矢印Ａ方向に回転する感光体ドラム１０１Ｙ、１０１Ｍ、１０１Ｃ及び１０１Ｋを有している。
【００３１】
感光体ドラム１０１Ｙ、１０１Ｍ、１０１Ｃ及び１０１Ｋの周囲には外周面に沿って順に帯電装置１０２Ｙ、１０２Ｍ、１０２Ｃ及び１０２Ｋ、光書き込み装置１００Ｙ、１００Ｍ、１００Ｃ及び１００Ｋ、現像装置１０３Ｙ、１０３Ｍ、１０３Ｃ及び１０３Ｋ、１次転写ローラー１０４Ｙ、１０４Ｍ、１０４Ｃ及び１０４Ｋ及びクリーニング装置１０５Ｙ、１０５Ｍ、１０５Ｃ及び１０５Ｋが配設されている。
【００３２】
更に、感光体ドラム１０１Ｙ、１０１Ｍ、１０１Ｃ及び１０１Ｋの回転方向における現像装置１０３Ｙ、１０３Ｍ、１０３Ｃ及び１０３Ｋの下流側にはラインセンサー１６０Ｙ、１６０Ｍ、１６０Ｃ及び１６０Ｋが配設されている。ラインセンサー１６０Ｙ、１６０Ｍ、１６０Ｃ及び１６０Ｋは、感光体ドラム１０１Ｙ、１０１Ｍ、１０１Ｃ及び１０１Ｋの外周面上において、主走査方向におけるどの位置にトナーが付着しているかを検出して、制御部１５０に通知する。また、ラインセンサー１６０Ｙ、１６０Ｍ、１６０Ｃ及び１６０Ｋは、十分短い時間間隔で繰り返し検出を行うので、制御部１５０は検出タイミングから副走査方向におけるトナーの付着位置を特定することができる。
【００３３】
帯電装置１０２Ｙ、１０２Ｍ、１０２Ｃ及び１０２Ｋは感光体ドラム１０１Ｙ、１０１Ｍ、１０１Ｃ及び１０１Ｋの外周面を一様に帯電させる。光書き込み装置１００Ｙ、１００Ｍ、１００Ｃ及び１００Ｋは、いわゆるＯＬＥＤ−ＰＨ（Organic Light Emitting Diode - Print Head）であって、感光体ドラム１０１Ｙ、１０１Ｍ、１０１Ｃ及び１０１Ｋの外周面を露光して静電潜像を形成する。
【００３４】
現像装置１０３Ｙ、１０３Ｍ、１０３Ｃ及び１０３ＫはＹＭＣＫ各色のトナーを供給して静電潜像を現像し、ＹＭＣＫ各色のトナー像を形成する。１次転写ローラー１０４Ｙ、１０４Ｍ、１０４Ｃ及び１０４Ｋは感光体ドラム１０１Ｙ、１０１Ｍ、１０１Ｃ及び１０１Ｋが担持するトナー像を中間転写ベルト１０６へ静電転写する（１次転写）。
【００３５】
クリーニング装置１０５Ｙ、１０５Ｍ、１０５Ｃ及び１０５Ｋは、１次転写後に感光体ドラム１０１Ｙ、１０１Ｍ、１０１Ｃ及び１０１Ｋの外周面上に残留する電荷を除電すると共に残留トナーを除去する。なお、以下において、画像形成ステーション１１０Ｙ、１１０Ｍ、１１０Ｃ及び１１０Ｋに共通する構成について説明する際にはＹＭＣＫの文字を省略する。
【００３６】
中間転写ベルト１０６は、無端状のベルトであって、２次転写ローラー対１０７及び従動ローラー１０８、１０９に張架されており、矢印Ｂ方向に回転走行する。この回転走行に合わせて１次転写することによって、ＹＭＣＫ各色のトナー像が互いに重ね合わされカラートナー像が形成される。中間転写ベルト１０６はカラートナー像を担持した状態で回転走行することによって、カラートナー像を２次転写ローラー対１０７の２次転写ニップまで搬送する。
【００３７】
２次転写ローラー対１０７を構成する２つのローラーは互いに圧接されることによって２次転写ニップを形成する。これらのローラー間には２次転写電圧が印加されている。中間転写ベルト１０６によるカラートナー像の搬送にタイミングを合わせて給紙トレイ１２０から記録シートＳが供給されると、２次転写ニップにおいてカラートナー像が記録シートＳに静電転写される（２次転写）。
【００３８】
記録シートＳは、カラートナー像を担持した状態で定着装置１３０まで搬送され、カラートナー像を熱定着された後、排紙トレイ１４０上へ排出される。
【００３９】
画像形成装置１は、更に制御部１５０を備えている。制御部１５０は、ＰＣ（Personal Computer）等の外部装置から印刷ジョブを受け付けると、画像形成装置１の動作を制御して画像形成を実行させる。
（１−２）光書き込み装置１００の構成
次に、光書き込み装置１００の構成について説明する。
【００４０】
図２（ａ）に示すように、光書き込み装置１００は、ＯＬＥＤパネル部２００とマルチレンズアレイ２０１とをホルダー２０２で支持する構成になっており、ＯＬＥＤパネル部２００の出射光Ｌをマルチレンズアレイ２０１によって感光体ドラム１０１の外周面上に集光する。なお、光書き込み装置１００と画像形成装置１の他の装置とを接続するためのケーブル等については図示を省略した。
【００４１】
ＯＬＥＤパネル部２００は、図２（ｂ）に示すように、ガラス基板２１０、封止板２１１及びドライバーＩＣ（Integrated Circuit）２１２等を備えている。ガラス基板２１０上にはＴＦＴ（Thin Film Transistor）回路２１４が形成されており、１５，０００個のＯＬＥＤ（図示省略）が主走査方向に沿って２１．２μｍピッチ（１２００ｄｐｉ）でライン状に配列されている。ライン状のＯＬＥＤは、本実施の形態においては千鳥配置になっているが、一列に配列されていてもよい。
【００４２】
また、ガラス基板２１０のＯＬＥＤが配設された基板面は封止領域となっており、スペーサー枠体２１３を挟んで封止板２１１が取着されている。これによって、封止領域が、外気に触れないように乾燥窒素等を封入した状態で、封止される。なお、吸湿のため、封止領域内に吸湿剤を併せて封入しても良い。なお、封止板２１１は、例えば、封止ガラスであっても良いし、ガラス以外の材料からなっていても良い。
【００４３】
ガラス基板２１０の封止領域外にはドライバーＩＣ２１２が実装されている。制御部１５０のＡＳＩＣ（Application Specific Integrated Circuit）２２０はフレキシブルワイヤー２２１を経由してドライバーＩＣ２１２にデジタル輝度信号を入力する。ドライバーＩＣ２１２はデジタル輝度信号をアナログ輝度信号（以下、単に「輝度信号」という。）に変換してＯＬＥＤ毎の駆動回路に入力する。駆動回路は輝度信号に応じてＯＬＥＤの駆動電流を生成する。なお、本実施の形態において、輝度信号は電圧信号である。
（１−３）ＴＦＴ回路２１４
次に、ＴＦＴ回路２１４の構成について説明する。
【００４４】
図３（ａ）に示すように、ＴＦＴ回路２１４においては、１５，０００個のＯＬＥＤ３２０が１００個ずつ、１５０個の発光ブロック３０２に組分けられている。また、ドライバーＩＣ２１２には１５０個の電流ＤＡＣ（Digital to Analogue Converter）３００が内蔵されており、それぞれ発光ブロック３０２と１対１に対応している。電流ＤＡＣ３００はデジタル制御可能な可変電流源である。発光ブロック３０２は主走査方向に配列されている。
【００４５】
電流ＤＡＣ３００から発光ブロック３０２に向かう各回路上には選択回路３０１が配設されている。更に、ドライバーＩＣ２１２から選択回路３０１へ向かう回路上にはリセット回路３０３が接続されている。各電流ＤＡＣ３００は、配下の１００個のＯＬＥＤ３２０に対して、所謂ローリング駆動によって順次、輝度信号を出力する。１個の電流ＤＡＣ３００は、対応する発光ブロック３０２に含まれる１００個のＯＬＥＤ３２０によって時間共有されている。
【００４６】
図３（ｂ）に示すように、発光ブロック３０２は１００個の発光画素回路からなっており、各発光画素回路は、キャパシター３２１、駆動ＴＦＴ３２２及びＯＬＥＤ３２０を１つずつ有している。また、選択回路３０１はシフトレジスター３１１と１００個の選択ＴＦＴ３１２とを備えており、リセット回路３０３は、リセットＴＦＴ３４０を備えている。
【００４７】
シフトレジスター３１１は、１００個の選択ＴＦＴ３１２それぞれのゲート端子に接続されており、選択ＴＦＴ３１２を順次オンする。選択ＴＦＴ３１２のソース端子は、書き込み配線３３０を介して、電流ＤＡＣ３００に接続されており、ドレイン端子はキャパシター３２１の第１の端子並びに駆動ＴＦＴ３２２のゲート端子に接続されている。
【００４８】
シフトレジスター３１１が選択ＴＦＴ３１２をオンすると、電流ＤＡＣ３００の出力電流がキャパシター３２１の第１の端子へ流れて、キャパシター３２１に電荷が蓄積される。キャパシター３２１に蓄積された電荷は、リセット回路３０３によってリセットされるまで保持される。
【００４９】
キャパシター３２１の第１の端子は、駆動ＴＦＴ３２２のゲート端子にも接続されており、キャパシター３２１の第２の端子は駆動ＴＦＴ３２２のソース端子並びに電源配線３３１に接続されている。駆動ＴＦＴ３２２のドレイン端子にはＯＬＥＤ３２０のアノード端子が接続されており、ＯＬＥＤ３２０のカソード端子は接地配線３３２に接続されている。接地配線３３２は接地端子ＧＮＤに接続されており、電源配線３３１は定電圧源Ｖｐｗｒに接続されている。
【００５０】
定電圧源Ｖｐｗｒは、ＯＬＥＤ３２０に供給される駆動電流の供給源となっており、駆動ＴＦＴ３２２は、キャパシター３２１の第１、第２の端子間に保持される輝度信号電圧に応じた駆動電流をＯＬＥＤ３２０に供給する。例えば、キャパシター３２１にＨに相当する輝度信号が書き込まれると、駆動ＴＦＴ３２２がオンして、ＯＬＥＤ３２０が発光する。また、キャパシター３２１にＬに相当する輝度信号が書き込まれると、駆動ＴＦＴ３２２はオフして、ＯＬＥＤ３２０は発光しない。キャパシター３２１に書き込まれた輝度信号は、次の輝度信号が書き込まれるか、またはリセットＴＦＴ３４０がオンされるまで保持される。
【００５１】
リセットＴＦＴ３４０をオンすると電流ＤＡＣ３００からキャパシター３２１に至る配線がリセット電位にリセットされる。リセット電位は、Ｖｄｄ電位であっても接地電位であってもよく、適切な電位を選択すればよい。また、本実施の形態においては、リセット状態でＯＬＥＤ３２０が発光しない場合について説明するが、リセット状態でＯＬＥＤ３２０が発光する構成としても良い。
【００５２】
なお、本実施の形態においては、駆動ＴＦＴ３２２がｐチャンネルである場合を例にとって説明しているが、ｎチャンネルの駆動ＴＦＴ３２２を用いても良いことは言うまでも無い。
【００５３】
また、本実施の形態においては、リセット回路３０３をドライバーＩＣ２１２とは別途設けて、ドライバーＩＣ２１２の制御下におく構成としたが、これに代えて、リセット回路３０３をドライバーＩＣ２１２に内蔵してもよい。また、リセット時と書き込み時で電流ＤＡＣが出力する電流の極性を変えることによってリセット回路３０３の機能を実現してもよい。また、リセットＴＦＴ３４０に代えて、ＴＦＴ以外のスイッチング素子を用いても良い。
（１−４）ＡＳＩＣ２２０
次に、ＡＳＩＣ２２０について説明する。
【００５４】
図４に示すように、ＡＳＩＣ２２０は、駆動電流補正部４０１とドットカウント部４０２とを備えており、ドットカウント部４０２は各ＯＬＥＤ３２０に対応する１５，０００個のドットカウンター４０３を有している。ドットカウンター４０３は、対応するＯＬＥＤ３２０が１回発行するたびに所定のカウント値が加算される。
【００５５】
駆動電流補正部４０１は、個々のＯＬＥＤ３２０についてドットカウンター４０３を参照し、カウンター値がドットカウント閾値に達するたびに駆動電流量を補正する。駆動電流量の補正に際して、駆動電流量補正部４０１は、ＯＬＥＤ３２０毎の駆動電流量、発光効率、発光光量及び劣化度を参照する。また、温度センサーを用いて画像形成装置１の機内温度を測定し、機内温度ごとに予め記憶している温度補正係数を用いて、駆動電流量を補正してもよい。
（１−５）制御部１５０
次に、制御部１５０の構成について説明する。
【００５６】
図５に示すように、制御部１５０は、ＣＰＵ（Central Processing Unit）５０１、ＲＯＭ（Read Only Memory）５０２、ＲＡＭ（Random Access Memory）５０３等を備えており、画像形成装置１に電源が投入されると、ＣＰＵ５０１はＲＯＭからブートプログラムを読み出して起動し、ＲＡＭ５０３を作業用記憶領域として、ＨＤＤ（Hard Disk Drive）５０４から読み出したＯＳ（Operating System）や制御プログラムを実行する。
【００５７】
また、制御部１５０は、タイマー５０５を用いて画像形成装置１のさまざまな動作タイミングを制御したり、センサーによる検出タイミングを参照したりする。ＮＩＣ（Network Interface Card）５０６は、ＬＡＮ（Local Area Network）等の通信網を経由してＰＣ（Personal Computer）等の外部装置と通信するために用いられる。制御部１５０は、外部装置から印刷ジョブを受け付けると画像形成装置１の各部を制御して印刷ジョブに応じた画像形成処理を実行する。
【００５８】
この場合において、制御部１５０は、感光体ドラム駆動モーター５１０を制御して、感光体ドラム１０１を回転駆動しながら、感光体ドラム１０１の外周面を帯電装置１０２によって一様に帯電させ、光書き込み装置１００によって露光し、現像装置１０３によって現像する。これによって形成されたトナー像を、ラインセンサー１６０が検出する。なお、上述のように、制御部１５０はＡＳＩＣ２２０を内蔵しており、ＡＳＩＣ２２０を介して光書き込み装置１００の動作を制御する。
【００５９】
ＣＰＵ５０１は、クロック信号を参照して、光書き込み装置１００が露光を行ってからラインセンサー１６０がトナー像を検出するまでのクロック数を算出し、光書き込み装置１００による露光位置がラインセンサー１６０による検出位置に到達するのに要する時間（クロック数）と比較することによって、副走査方向におけるトナー像の位置ずれを検出することができる。
【００６０】
主走査方向については、ラインセンサー１６０による検出位置を露光位置と比較すれば、トナー像の位置ずれを検出することができる。
（１−６）露光位置の検出
次に、マルチレンズアレイ２０１を構成するレンズの光軸傾きやレンズ精度に起因する露光位置のずれの検出について説明する。
【００６１】
図６（ａ）に示すように、マルチレンズアレイ２０１は、３行×５列のマスター金型を繰り返し１０回使用することによって成型された３行×５０列のレンズ４００を備えている。このため、レンズ４００は主走査方向に５列ごとに同じ特性を有しており、同じ光軸傾き及びレンズ精度が１０周期繰り返されていることになる。１５０個のレンズ４００はそれぞれ１００個のＯＬＥＤ３２０の出射光Ｌを集光する。これによって、１５，０００個のＯＬＥＤ３２０の出射光Ｌが感光体ドラム１０１の外周面上に集光される。
【００６２】
図６（ｂ）に示すように、１個のレンズ４００が集光する出射光Ｌを出射する１００個のＯＬＥＤ３２０は、ガラス基板２１０上で１０行×１０列で千鳥配列されている。同図では、主走査方向における上流から順に＃１から＃１００までの番号がＯＬＥＤ３２０に割り当てられている。
【００６３】
レンズ４００の光軸傾きやレンズ精度による露光位置のずれを検出するために、１００個のレンズ４００のうち、図６（ｂ）において白丸で示す５個のＯＬＥＤ３２０、すなわち、レンズ４００の光軸（光学中心）に最も近い位置に配置されている＃５６のＯＬＥＤ３２０と、レンズ４００の光軸から互いに概ね等距離にある、言い換えるとレンズ４００の光軸を中心とする円周上に位置する４つのＯＬＥＤ３２０（＃６、＃５１、＃６０及び＃９６）を点灯させる。
【００６４】
＃６、＃９６のＯＬＥＤ３２０は、主走査方向において光軸を挟む位置にあり、＃５１、＃６０のＯＬＥＤ３２０は、副走査方向において光軸を挟む位置にある。これら５つのＯＬＥＤ３２０の出射光Ｌは感光体ドラム１０１の外周面上の５個の代表点を露光する。
【００６５】
図６（ｃ）は、５個の代表点の露光位置を例示する図である。白丸６０１、６０２、６０３、６０４及び６０５は、レンズ４００に光軸傾きがなく、レンズ精度が設計通りである場合の露光位置（以下、「基準位置」という。）を示し、黒丸６１１、６１２、６１３、６１４及び６１５は、レンズ４００に光軸傾きやレンズ精度によって位置ずれが生じている場合の露光位置を示す。
【００６６】
このような位置ずれを検出するために、制御部１５０は、図７に示すように、位置ずれ検出用トナー像を感光体ドラム１０１の外周面上に形成する（Ｓ７０１）。
【００６７】
通常の画像形成では、感光体ドラム１０１の回転に同期して、何れのレンズ４００についても、１行目から１０行目までのＯＬＥＤ３２０がタイミングをずらして点灯し、感光体ドラム１０１の外周面を露光することによって、１ライン分の静電潜像が形成される。
【００６８】
一方、露光位置の位置ずれを検出する場合には、制御部１５０は、感光体ドラム１０１を回転駆動しながら、帯電装置１０２によって感光体ドラム１０１の外周面を一様に帯電させる。更に、感光体ドラム１０１を回転駆動して、帯電領域が光書き込み装置１００の露光位置に到達したら、感光体ドラム１０１の回転駆動を一旦停止した状態で、露光を行う。
【００６９】
位置ずれ検出用トナー像は１ラインだけの画像であって、図６（ｂ）に例示するように、マスター金型の１周期に相当する３行×５列のレンズ４００について、レンズ４００毎にＯＬＥＤ３２０を５個ずつ点灯させる。５個のＯＬＥＤ３２０は、感光体ドラム１０１の外周面上でガラス基板２１０上での位置に応じた位置を露光する。
【００７０】
従って、図６（ｃ）に例示するように、５個の代表点の露光位置は副走査方向において必ずしも一致しない。また、言うまでもなく、５個の代表点の露光位置は主走査方向については互いに異なる位置になっている。
【００７１】
その後、制御部１５０は、ラインセンサー１６０にてトナー像を検出する（Ｓ７０２）。具体的には、露光によって静電潜像を形成した後、制御部１５０は感光体ドラム１０１の回転駆動を再開して、現像装置１０３により静電潜像を現像する。そして、感光体ドラム１０１を回転駆動しながら、トナー像をラインセンサー１６０にて繰り返し検出する。
【００７２】
ラインセンサー１６０は受光素子を主走査方向に一列に配設したセンサーであって、受光素子毎の受光量から主走査方向におけるどの位置にトナー像が形成されているかを検出することができる。また、トナー像を繰り返し検出すれば、どのタイミングで検出されたかによって、副走査方向におけるトナー像の位置も検出することができる。
【００７３】
例えば、制御部１６０は、露光後、感光体ドラム１０１の回転駆動を再開してからの経過時間（クロック数）を参照することによって、副走査方向におけるどの位置にトナー像が形成されているかを特定することができる。
【００７４】
制御部１６０は、図６（ｃ）に示すように、予め記憶しておいた基準位置と検出位置とを比較して、レンズ４００毎に光軸上のＯＬＥＤ３２０（＃５６）の露光位置のずれ量のうち光軸の傾斜に起因する位置ずれ成分（オフセット量）として、基準位置６０１と検出位置６１１との主走査方向及び副走査方向におけるオフセット成分△ｘ、△ｙを算出する（Ｓ７０３）。
【００７５】
このオフセット成分△ｘ、△ｙを用いて、レンズ精度（倍率）に起因して発生する位置ずれ成分（以下、「倍率成分」という。）を算出する（Ｓ７０４）。このため、まずレンズ４００毎に光軸を中心とする所定の円周上の４つのＯＬＥＤ３２０（＃６、＃５１、＃６０及び＃９６）のうち、＃６、＃９６については主走査方向における基準位置６０２、６０５と検出位置６１２、６１５との位置ずれ量Ｄｅ、Ｄｆを算出する。また、＃５１、＃６０については、副走査方向における基準位置６０３、６０４と検出位置６１３、６１４との位置ずれ量Ｄｃ、Ｄｄを算出する。
【００７６】
副走査方向における位置ずれ量Ｄｃ、Ｄｄからオフセット量を差し引き、主走査方向における位置ずれ量Ｄｅ、Ｄｆからオフセット量△ｘを差し引くと、次式のように＃６、＃５１、＃６０及び＃９６のＯＬＥＤ３２０の倍率成分を算出することができる。
【００７７】
＃６  ：  Ｄｃｌ ＝ Ｄｃ−△ｙ  …（１）
＃５１：  Ｄｄｌ ＝ Ｄｄ−△ｙ  …（２）
＃６０：  Ｄｅｌ ＝ Ｄｅ−△ｘ  …（３）
＃９６：  Ｄｆｌ ＝ Ｄｆ−△ｘ  …（４）
５個の代表点以外の倍率成分については、５個の代表点の倍率成分を用いた線形補完によって推算することができる。このため、倍率成分Ｄｃｌ、Ｄｄｌ、Ｄｅｌ及びＤｆｌを用いて、感光体ドラム１０１の外周面上での単位長さ当たりの倍率成分（以下、「単位成分」という。）を算出する（Ｓ７０５）。
【００７８】
具体的には、第１象限から第４象限までの各象限における主走査方向の単位成分と副走査方向の単位成分とが次式のように算出される。
【００７９】
第１象限
主走査方向： （Ｄｆ−△ｘ）÷（Ｄｂ×４０）  …（５）
副走査方向： （Ｄｃ−△ｙ）÷（Ｄａ×４）    …（６）
第２象限
主走査方向： （Ｄｅ−△ｘ）÷（Ｄｂ×５０）  …（７）
副走査方向： （Ｄｃ−△ｙ）÷（Ｄａ×４）    …（８）
第３象限
主走査方向： （Ｄｅ−△ｘ）÷（Ｄｂ×５０）  …（９）
副走査方向： （Ｄｄ−△ｙ）÷（Ｄａ×５）    …（１０）
第４象限
主走査方向： （Ｄｆ−△ｘ）÷（Ｄｂ×４０）  …（１１）
副走査方向： （Ｄｄ−△ｙ）÷（Ｄａ×５）    …（１２）
ここで、図６（ｂ）に示すように、副走査方向の単位長さは副走査方向におけるＯＬＥＤ３２０の間隔Ｄａであり、主走査方向の単位長さは主走査方向におけるＯＬＥＤ３２０の間隔Ｄｂである。なお、本実施の形態においては、Ｄｂは２１．２μｍになっている。
【００８０】
これらの単位成分とオフセット成分△ｘ、△ｙを用いると、レンズ４００からの距離に応じて、マスター金型に相当するＯＬＥＤ３２０毎に露光位置のずれを補正するための補正値を算出することができる。例えば、図８（ａ）に示すように、千鳥行位置における３行目のＯＬＥＤ３２０（＃７、＃１７、＃２７等）の露光位置では、副走査方向における光軸からの距離が
Ｄａ×（５−３）＝ Ｄａ×２  …（１３）
なので、これを第１象限及び第２象限における副走査方向の単位成分
（Ｄｃ−△ｙ）÷（Ｄａ×４）  …（１４）
に乗算すると、
（Ｄｃ−△ｙ）×２／４  …（１５）
と推算できる。
【００８１】
同様に、副走査方向における７行目のＯＬＥＤ３２０（＃４、＃１４、＃２４等）の倍率成分は、副走査方向における光軸からの距離が
Ｄａ×（７−５）＝ Ｄａ×２  …（１６）
なので、これを第３象限及び第４象限における副走査方向の単位成分
（Ｄｄ−△ｘ）÷（Ｄａ×５）  …（１７）
に乗算すると、
（Ｄｄ−△ｙ）×２／５  …（１８）
と推算できる。
【００８２】
また、主走査方向の補正値の倍率成分については、例えば、図８（ｂ）に示すように、主走査方向の補正値の倍率成分は、＃１のＯＬＥＤ３２０の露光位置では、主走査方向における光軸からの距離が
Ｄｂ×（５６−１）＝ Ｄａ×５５  …（１９）
なので、これを第２象限及び第３象限における主走査方向の単位成分
（Ｄｅ−△ｘ）÷（Ｄｂ×５０）  …（２０）
に乗算すると、
（Ｄｅ−△ｘ）×１１／１０  …（２１）
と推算できる。
【００８３】
同様に、主走査方向における＃１００のＯＬＥＤ３２０の倍率成分は、主走査方向における光軸からの距離が
Ｄｂ×（１００−５６）＝ Ｄａ×４４  …（２２）
なので、これを第１象限及び第４象限における主走査方向の単位成分
（Ｄｆ−△ｘ）÷（Ｄｂ×４０）  …（２３）
に乗算すると、
（Ｄｆ−△ｘ）×１１／１０  …（２４）
と推算できる。
【００８４】
このようにして、各ＯＬＥＤ３２０の補正値の倍率成分を求めた後、主走査方向と副走査方向とのそれぞれについてオフセット成分を監査して、補正値を算出する（Ｓ７０６）。各ＯＬＥＤ３２０の補正値は、主走査方向についてはオフセット成分△ｘに主走査方向の倍率成分を加算した値となり、副走査方向についてオフセット成分△ｙに副走査方向の倍率成分を加算した値になる。図９及び図１０は、＃１から＃１００までのすべてのＯＬＥＤ３２０について主走査方向と副走査方向との補正値を示す表である。
【００８５】
マスター金型における同一位置のレンズ４００が集光する１００個のＯＬＥＤ３２０のうち、レンズ４００に対して同一位置にあるＯＬＥＤ３２０どうしは図９の表における同一の補正値を用いて露光位置のずれを補正することができる。言い換えるマスター金型の周期について同一の位相にあるＯＬＥＤ３２０どうしは同一の補正値を用いて位置ずれを補正することができる。
【００８６】
具体的には、マルチレンズアレイ２０１のｍ行ｎ列目に位置するレンズ４００については、ｎを５で割った剰余ｎ´を求めて、ｍ行ｎ´列目のレンズ４００と同じよう位置ずれ補正を行えばよい。
【００８７】
その後、算出したＯＬＥＤ３２０毎の補正値を記憶して（Ｓ７０７）、処理を終了する。
（１−６）露光位置の補正
次に、露光位置の補正について説明する。
【００８８】
露光位置のずれは、ＯＬＥＤ３２０毎に補正値に応じて発光タイミングを補正することによって補正する。
【００８９】
例えば、主走査方向における上流側に位置ずれが発生するＯＬＥＤ３２０については、補正値（位置ずれ分）に相当する期間だけ画像データを主走査方向にずらすことによって、主走査方向における位置ずれを解消することができる。逆に、主走査方向における下流側に位置ずれが発生するＯＬＥＤ３２０については、補正値（位置ずれ分）に相当する期間だけ発光タイミングを早めれば、主走査方向における位置ずれを解消することができる。
【００９０】
副走査方向についても同様であり、副走査方向における上流側に位置ずれが発生するＯＬＥＤ３２０については、補正値（位置ずれ分）に相当する期間だけ発光タイミングを遅らせることによって、副走査方向における位置ずれを解消することができる。逆に、副走査方向における下流側に位置ずれが発生するＯＬＥＤ３２０については、補正値（位置ずれ分）に相当する期間だけ発光タイミングを早めれば、副走査方向における位置ずれを解消することができる。
【００９１】
このように露光位置のずれを解消すれば、印字画像の歪を防ぐことができる。
（１−７）補正を行う基準値
なお、上述のように、本実施の形態においては、マスター金型の１周期分のみについて補正値を求めればよいという意味において、記憶すべき補正値の個数を低減して、必要な記憶容量を削減することができる。
【００９２】
しかしながら、マスター金型のサイズ分のレンズ４００（本実施の形態においては、３行×５列の１５個）毎に、１００個のＯＬＥＤ３２０のそれぞれについて主走査方向と副走査方向との２つの補正値を記憶しなければならないことから、更に記憶すべきデータ量を圧縮するのが望ましい。
【００９３】
このため、基準値としてマスター金型相当の１５個のレンズ４００について検出した主走査方向及び副走査方向の各１５個のオフセット成分の各平均値を算出し、オフセット成分△ｘ、△ｙに代えて基準値を用いれば、オフセット成分△ｘ、△ｙを記憶する必要がないので、メモリ容量を低減することができる。
【００９４】
また、オフセット成分の平均値に代えて、光書き込み装置１００を画像形成装置１の本体に固定している部位に最も近いレンズに係るオフセット成分△ｘ、△ｙを基準値にしてもよい。このようにすれば、基準値が安定するので、基準値を算出するための演算回路を簡素化してコスト削減を図ることができる。
【００９５】
また、ＯＬＥＤ３２０の配列は千鳥配列に限定されないのは言うまでもなく、一列に配列してもよいし、任意のブロックで並んでいてもよい。
【００９６】
また、駆動電流源やサンプルホールド回路、シフトレジスターを、ＴＦＴで構成するのに代えて、単結晶シリコンのドライバーＩＣで構成してもよい。更に、サンプルホールド回路を用いない構成の光書き込み装置１００についても、本実施の形態を適用することによって同様の効果を得ることができる。
［２］第２の実施の形態
次に、本発明の第２の実施の形態について説明する。
【００９７】
本実施の形態に係る画像形成装置１及び光書き込み装置１００は、上記第１の実施の形態に係る画像形成装置１及び光書き込み装置１００と概ね共通の構成を有している一方、マスター金型を用いて成型された複数のレンズ４００のうち何れかのレンズ４００についてのみ露光位置のずれを検出し、この検出結果を他のレンズ４００にも転用して位置ずれ補正を行う点で相違している。以下、相違点に注目して説明する。
【００９８】
なお、本明細書においては、実施の形態どうしで共通する部材等については共通の符号が付与されている。
【００９９】
レンズ４００毎の露光位置のずれ量は、当該レンズ４００の成型に用いた金型の転写性に相関している。金型の転写性は、成型時の温度分布や圧力分布、成型後の残留応力分布といった要素の影響を受ける。例えば、成型時の温度分布、圧力分布又は成型後の残留応力分布が図１１（ａ）のグラフ１０００のようになっている場合、グラフ１０００は、主走査位置ＰａからＰｅにまで亘っており、主走査位置Ｐｂ、Ｐｃ及びＰｄにおいてグラフ１０００の傾きが急激に変化している。
【０１００】
一方、主走査位置ＰａとＰｂの間、ＰｂとＰｃの間、ＰｃとＰｄの間及びＰｄとＰｅの間においては、グラフ１０００の傾きの変化が比較的小さいので、グラフ１０００を線形補完することができる。すなわち、図１１（ｂ）に例示するように、主走査位置Ｐａ、Ｐｂ、Ｐｃ、Ｐｄ及びＰｅに位置するレンズ４００について露光位置のずれ量を検出すれば、検出したずれ量を用いた補完演算によって他の主走査位置におけるずれ量を推定することができる。
【０１０１】
例えば、主走査位置ＰａとＰｂとの間の主走査位置Ｐのレンズ４００に係るオフセット成分△ｘ、△ｙは、主走査位置Ｐａ、Ｐｂに係るオフセット成分△ｘａ、△ｙａ、△ｘｂ及び△ｙｂを用いると、
△ｘ ＝ ｛△ｘａ×（Ｐｂ−Ｐ）＋△ｘｂ×（Ｐ−Ｐａ）｝÷（Ｐｂ−Ｐａ）  …（２５）
△ｙ ＝ ｛△ｙａ×（Ｐｂ−Ｐ）＋△ｙｂ×（Ｐ−Ｐａ）｝÷（Ｐｂ−Ｐａ）  …（２６）
のように推定することができる。倍率成分も同様である。
［３］第３の実施の形態
次に、本発明の第２の実施の形態について説明する。
【０１０２】
本実施の形態に係る画像形成装置１及び光書き込み装置１００は、上記第１の実施の形態に係る画像形成装置１及び光書き込み装置１００と概ね共通の構成を有している一方、画像形成装置１に光書き込み装置１００を取り付ける前に露光位置の位置ずれ量を検出する点で相違している。以下、相違点に注目して説明する。
【０１０３】
本実施の形態においては、画像形成装置１に光書き込み装置１００を組み込む前に、マルチレンズアレイ２０１の成型に用いられるすべての金型についてレンズ４００毎に位置ずれ量を測定して位置ずれ成分を算出し、制御部１５０のＲＯＭ５０２またはＨＤＤ５０４に記憶しておく。
【０１０４】
画像形成装置１に光書き込み装置１００を組み込んだ後は、図７と概ね同様に位置ずれの検出と補正を行う。ただし、ステップＳ７０１からＳ７０５までについては、光書き込み装置１００を画像形成装置１に固定する部位に最も近いレンズ（以下、「代表レンズ」という。）４００についてのみ位置ずれ成分を算出する。
【０１０５】
また、ステップＳ７０６においては、まず、代表レンズ４００について算出した位置ずれ成分と予め記憶しておいた位置ずれ成分とを比較して差分を求める。代表レンズ４００以外のレンズ４００については、予め記憶しておいた位置ずれ成分を、代表レンズ４００について求めた差分を用いて修正した後、修正した位置ずれ成分を用いて補完演算によって位置ずれ補正を行う。
［４］変形例
以上、本発明を実施の形態に基づいて説明してきたが、本発明が上述の実施の形態に限定されないのは勿論であり、以下のような変形例を実施することができる。
（４−１）上記実施の形態においては、ラインセンサー１６０を用いて位置ずれ量を検出する場合を例にとって説明したが、本発明がこれに限定されないのは言うまでもなく、これに代えて次のようにしてもよい。
【０１０６】
例えば、いわゆるＰＰ（Product Print）機は、図１２に例示するように、階調補正などの画像安定化処理のために、シート排出口付近１１０１に撮像部としてインラインセンサー１１０２を備えている。上記実施の形態に係るラインセンサー１６０に代えて、インラインセンサー１１０２を用いて、位置ずれ検出のためのトナー像を転写、定着された記録シートを撮像することによって位置ずれを検出してもよい。
【０１０７】
このようにすれば、画像形成ステーション１１０毎にラインセンサー１６０を設ける必要がないので、コスト低減と装置の小型化を図ることができる。
（４−２）上記実施の形態においては、ＯＬＥＤ３２０の発光タイミングを補正することによって露光位置を補正する場合を例にとって説明したが、本発明がこれに限定されないのは言うまでもなく、これに代えて次のようにしてもよい。
【０１０８】
例えば、露光位置のずれ量に合わせて光量を補正してもよい。図１３に示すように、検出された露光位置１２２０が位置ずれのない場合の露光位置１２００から主走査方向に△ｈ、副走査方向に△ｖだけずれている場合を例にとって説明する。検出された露光位置１２２０が位置ずれのない場合の露光位置１２００からずれている場合、露光位置１２２０は露光位置１２００を含む４個の露光位置１２０１、１２１０及び１２１１に囲まれる。
【０１０９】
露光位置１２２０を露光するための階調値Ｔを、露光位置１２００、１２０１、１２１０及び１２１１の画素Ｐ（ｉ：ｊ）、Ｐ（ｉ：ｊ−１）、Ｐ（ｉ＋１：ｊ）及びＰ（ｉ＋１：ｊ−１）の階調値をＴ（ｉ：ｊ）、Ｔ（ｉ：ｊ−１）、Ｔ（ｉ＋１：ｊ）及びＴ（ｉ＋１：ｊ−１）とすると、位置ずれ量△ｈ、△ｖに基づく線形補完によって求めると、
Ｔ ＝ ｛Ｔ´１×（Ｄｂ−△ｈ）＋Ｔ´２×△ｈ｝÷Ｄｂ  …（２７）
となる。なお、
Ｔ´１ ＝ ｛Ｔ（ｉ：ｊ）×（Ｄａ−△ｖ）＋Ｔ（ｉ：ｊ−１）×△ｖ｝÷Ｄａ  …（２８）
Ｔ´２ ＝ ｛Ｔ（ｉ＋１：ｊ）×（Ｄａ−△ｖ）＋Ｔ（ｉ＋１：ｊ−１）×△ｖ｝÷Ｄａ  …（２９）
である。
【０１１０】
このようにしても、露光位置のずれによる画質劣化を抑制することができる。
【０１１１】
なお、線形補完処理は局所的な平均化フィルターとして作用するので、線形補完処理によって求めた階調値に対して更にエッジ強調処理を施してもよい。
（４−３）上記実施の形態においては、１種類のマスター金型を用いる場合を例にとって説明したが、本発明がこれに限定されないのは言うまでもなく、複数種類のマスター金型を組み合わせてマルチレンズアレイ２０１を成型してもよい。この場合においては、マスター金型の種類ごとに位置ずれを検出して、位置ずれ成分を算出すれば、同じマスター金型を用いて成型された他の部分のレンズ４００についても当該位置ずれ成分を用いて露光位置を補正することができる。
（４−４）上記実施の形態においては、発光素子がＯＬＥＤ３２０である場合を例にとって説明したが、本発明がこれに限定されないのは言うまでもなく、マルチレンズアレイ２０１を用いたライン光学型の光書き込み装置であれば、本発明を適用して、その効果を得ることができる。
（４−５）上記実施の形態においては、画像形成装置１がタンデム方式のカラープリンターである場合を例にとって説明したが、本発明がこれに限定されないのは言うまでもなく、タンデム方式以外のカラープリンターであってもよいし、モノクロプリンターであってもよい。また、原稿読み取り機能を備えた複写装置やファクシミリ通信機能を備えたファクシミリ装置といった単機能機、或いはこれらの機能を兼ね備えた複合機（MFP: Multi-Function Peripheral）に本発明を適用しても同様の効果を得ることができる。
【産業上の利用可能性】
【０１１２】
本発明に係る光書き込み装置及び画像形成装置は、露光位置のずれを検出することができる装置として有用である。
【符号の説明】
【０１１３】
１…………………………………………………画像形成装置
１００…………………………………………光書き込み装置
１００……………………………………………感光体ドラム
１５０……………………………………………………制御部
１６０…………………………………………ラインセンサー
２０１……………………………………マルチレンズアレイ
３２０…………………………………………………ＯＬＥＤ
４００……………………………………………………レンズ
１１０２…………………………………インラインセンサー
Ｄａ……………副走査方向におけるＯＬＥＤ３２０の間隔
Ｄｂ……………主走査方向におけるＯＬＥＤ３２０の間隔
Ｄｃ、Ｄｄ、Ｄｅ、Ｄｆ…………………………位置ずれ量
△ｘ、△ｙ……………………位置ずれ量のオフセット成分
Ｄｃｌ、Ｄｄｌ、Ｄｅｌ、Ｄｆｌ…位置ずれ量の倍率成分
【図１】
2019072888.tif 000003
【図２】
2019072888.tif 000004
【図３】
2019072888.tif 000005
【図４】
2019072888.tif 000006
【図５】
2019072888.tif 000007
【図６】
2019072888.tif 000008
【図７】
2019072888.tif 000009
【図８】
2019072888.tif 000010
【図９】
2019072888.tif 000011
【図１０】
2019072888.tif 000012
【図１１】
2019072888.tif 000013
【図１２】
2019072888.tif 000014
【図１３】
2019072888.tif 000015
【図１４】
2019072888.tif 000016
【図１５】
2019072888.tif 000017